(57)【要約】【課題】記録媒体に記録されたデータが特定の記録構造で記録されているか否かを簡単に識別することができるようにする印刷指示プログラム及び記録装置の提供。【解決手段】コンピュータを、記録媒体１０に特定の記録構造でデータが記録される場合に、記録媒体１０を収納するケースに装着するジャケットプリント１２や記録媒体１０のレーベル面に、記録媒体１０に特定の記録構造でデータが記録されていることを示す図形情報や文字情報などの記録構造識別情報２１を印刷させる印刷制御手段として機能させるものであり、ユーザは記録構造識別情報２１を一見するだけで、画像データや家電機器用データが特定の記録構造で記録されているか否かを判別することができるため、記録媒体１０を利用することができる機器２７を容易に特定することができ、ユーザの利便性を格段に向上させることができる。【選択図】図１
2007058888.tif 000002
【特許請求の範囲】
【請求項１】
コンピュータを、
記録媒体に特定の記録構造でデータが記録される場合に、前記記録媒体を収納するケースに装着されるジャケットプリント又は前記記録媒体のレーベル面の少なくとも一方に、前記記録媒体に前記特定の記録構造で前記データが記録されていることを示す記録構造識別情報を印刷させる印刷制御手段、として機能させることを特徴とする指示プログラム。
【請求項２】
コンピュータを、
記録媒体に記録されているデータの記録構造を判別する記録構造判別手段、
前記記録構造が特定の記録構造である場合に、前記記録媒体を収納するケースに装着されるジャケットプリント又は前記記録媒体のレーベル面の少なくとも一方に、前記記録媒体に前記特定の記録構造で前記データが記録されていることを示す記録構造識別情報を印刷させる印刷制御手段、として機能させることを特徴とする指示プログラム。
【請求項３】
コンピュータを、
前記ジャケットプリント又は前記記録媒体のレーベル面の少なくとも一方に前記記録構造識別情報を印刷させる際に、該印刷を指示する操作画面に、前記記録構造識別情報を表示させる表示制御手段、として機能させることを特徴とする請求項１又は２に記載の指示プログラム。
【請求項４】
前記特定の記録構造は、前記データが予め定められたルールに従って構成されたフォルダに格納されている構造、前記データが予め定められたルールに従って命名されたフォルダに格納されている構造、前記データに予め定められたルールに従って命名されたファイル名が付与されている構造のいずれかを含むことを特徴とする請求項１乃至３のいずれか一に記載の指示プログラム。
【請求項５】
前記記録構造識別情報は、前記特定の記録構造で記録された前記データを利用可能な機器を特定する図形情報又は文字情報であることを特徴とする請求項１乃至４のいずれか一に記載の指示プログラム。
【発明の詳細な説明】
【技術分野】
【０００１】
本発明は、指示プログラムに関し、特に、記録媒体に特定の記録構造でデータが記録されていることを識別可能にするための指示プログラムに関する。
【背景技術】
【０００２】
近年、写真画像に関する様々なサービスが提供されている。例えば、写真を撮影したデジタルカメラやデジタルカメラ用メディアをミニラボ等の写真店に持ち込み、店舗内に設けられた注文処理装置や無人端末（キオスク）などを操作することによって、デジタルカメラやメディアに記録された画像データをＣＤ−Ｒ、ＤＶＤ−Ｒなどの記録媒体に書き込むことができる（上記無人端末に関しては、例えば、下記特許文献１参照）。
【０００３】
また、デジタルカメラやメディアから読み取った画像データを単に記録媒体に記録するのではなく、これらの画像データをＤＶＤプレーヤやＤＶＤレコーダ、ＨＤＤレコーダ、ゲーム機などの家電機器でスライドショーとして再生するためのデータ（以下、家電機器用データと呼ぶ。）を生成し、画像データと家電機器用データとをセットにして記録媒体に書き込んだり、これらの画像データと、該画像データをコンピュータ機器でスライドショーとして再生するためのアプリケーションとをセットにして記録媒体に書き込むサービスも行われている。
【０００４】
【特許文献１】特開平１１−８８１７号公報（第３−４頁、第１図）
【発明の開示】
【発明が解決しようとする課題】
【０００５】
上記サービスを利用することにより、画像データや家電機器用データが記録された記録媒体を入手することができ、コンピュータ機器や家電機器を用いて写真画像を閲覧することができるが、上記サービスを提供するメーカは様々であり、メーカによってデータの記録構造が異なるため、例えば、その記録媒体を用いて他のメーカのキオスクなどで写真プリントを注文する場合に、キオスクが記録媒体に記録されたデータの記録構造を認識することができず、簡単にプリント注文ができない場合がある。
【０００６】
また、家電機器用データの形式も様々であるため、作成した記録媒体が特定の家電機器で再生できない場合もある。
【０００７】
このような問題を回避するためには記録媒体がどのような機器で利用できるのかをユーザが認識する必要があるが、従来は、作成した記録媒体がどの機器で利用できるのかを判断することができなかったため、記録媒体の使い勝手が悪いという問題があった。
【０００８】
本発明は、上記問題点に鑑みてなされたものであって、その主たる目的は、記録媒体に記録されたデータが特定の記録構造で記録されているか否かを簡単に識別することができるようにする指示プログラムを提供することにある。
【課題を解決するための手段】
【０００９】
上記目的を達成するため、本発明の指示プログラムは、コンピュータを、記録媒体に特定の記録構造でデータが記録される場合に、前記記録媒体を収納するケースに装着されるジャケットプリント又は前記記録媒体のレーベル面の少なくとも一方に、前記記録媒体に前記特定の記録構造で前記データが記録されていることを示す記録構造識別情報を印刷させる印刷制御手段、として機能させるものである。
【００１０】
また、本発明の指示プログラムは、コンピュータを、記録媒体に記録されているデータの記録構造を判別する記録構造判別手段、前記記録構造が特定の記録構造である場合に、前記記録媒体を収納するケースに装着されるジャケットプリント又は前記記録媒体のレーベル面の少なくとも一方に、前記記録媒体に前記特定の記録構造で前記データが記録されていることを示す記録構造識別情報を印刷させる印刷制御手段、として機能させるものである。
【００１１】
本発明においては、コンピュータを、前記ジャケットプリント又は前記記録媒体のレーベル面の少なくとも一方に前記記録構造識別情報を印刷させる際に、該印刷を指示する操作画面に、前記記録構造識別情報を表示させる表示制御手段、として機能させる構成とすることができる。
【００１２】
また、本発明においては、前記特定の記録構造とは、前記データが予め定められたルールに従って構成されたフォルダに格納されている構造、前記データが予め定められたルールに従って命名されたフォルダに格納されている構造、前記データに予め定められたルールに従って命名されたファイル名が付与されている構造のいずれかを含むことが好ましい。
【００１３】
また、本発明においては、前記記録構造識別情報は、前記特定の記録構造で記録された前記データを利用可能な機器を特定する図形情報又は文字情報とすることができる。
【００１４】
このように、本発明では、ジャケットプリントや記録媒体のレーベル面に記録構造識別情報が印刷されるため、ユーザは記録構造識別情報を一見して、画像データや家電機器用データが特定の記録構造で記録されているか否かを判別することができ、これにより、この記録媒体を利用することができる機器を容易に特定することができる。
【発明の効果】
【００１５】
本発明の指示プログラムによれば、記録媒体を利用することができる機器を容易に特定することができる。
【００１６】
その理由は、ジャケットプリントや記録媒体のレーベル面には、予め定められたマークや記号等の図形情報や、説明文等の文字情報などで構成される記録構造識別情報が印刷されているため、ユーザはこの記録構造識別情報を一見するだけで、画像データや家電機器用データが特定の記録構造で記録されているか否かを容易に判別することができるからである。
【発明を実施するための最良の形態】
【００１７】
本発明の指示プログラムは、その好ましい一実施の形態において、コンピュータを、記録媒体に特定の記録構造でデータが記録される場合に、記録媒体を収納するケースに装着するジャケットプリントや記録媒体のレーベル面に、特定の記録構造でデータが記録されていることを示す記録構造識別情報を印刷させる印刷制御手段として機能させるものであり、ユーザは記録構造識別情報を一見するだけで、画像データや家電機器用データが特定の記録構造で記録されているか否かを判別することができるため、記録媒体を利用することができる機器を容易に特定することができ、これにより、ユーザの利便性を格段に向上させることができる。
【実施例１】
【００１８】
上記実施形態について詳細に説明すべく、本発明の第１の実施例に係る指示プログラムについて、図１乃至図１５を参照して説明する。図１は、本実施例に係る記録システムの構成を模式的に示す図であり、図２乃至図６は、本実施例の記録装置のバリエーションを示す図である。また、図７は、本実施例の記録装置の構成を示すブロック図であり、図８は、本実施例の記録システムを用いた処理の手順を示すフローチャート図である。また、図９は、本実施例のジャケットプリントの構成例を示す図であり、図１０は、本実施例の記録媒体のレーベル面の構成例を示す図である。また、図１１は、本実施例の記録媒体におけるデータの記録構造を示す図であり、図１２は記録媒体におけるデータの記録領域を示す図、図１３は、記録媒体の構造を模式的に示す図である。また、図１４及び図１５は、本実施例の記録装置の表示手段に表示される画面の構成例を示す図である。
【００１９】
図１に示すように、本実施例の記録システム１は、画像データや家電機器用データを記録媒体１０に記録する記録装置２と、記録媒体１０を収納するケースに装着される印刷物（以下、ジャケットプリント１２と呼ぶ。）や記録媒体１０のデータ記録面と反対側の面（以下、レーベル面と呼ぶ。）に印刷を行うインクジェットプリンタなどの印刷手段１１とで構成される。
【００２０】
また、図１及び図７に示すように、本実施例の記録装置２は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部５や、デジタルカメラ９（デジタルスチルカメラ及びデジタルムービーカメラの双方を含む。）やカメラ付き携帯電話機９ａ等の撮影機器を有線又は無線、赤外線等によって接続するための機器接続部６、インターネット等の通信ネットワーク１３を介してサーバ１４に接続するネットワーク接続部等を用いて画像データ（静止画像データ、動画データ、画像情報を含むデータを総称して画像データと呼ぶ。）を読み取るデータ読み取り手段１５と、読み取った画像データに基づいて、ＤＶＤプレーヤやＤＶＤレコーダ、ＨＤＤレコーダ、ゲーム機などの家電機器で再生可能な家電機器用データを生成したり、サムネイル画像データやスクリーンネイル画像データなどの縮小画像データを生成すると共に、記録媒体１０に記録するための記録データを生成するデータ生成手段１６と、記録媒体装填部７に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１０に各種データを記録する記録制御手段１７と、ＬＣＤ、ＣＲＴ等の表示手段３及びボタン、キーボード、マウス等の操作手段４と、ジャケットプリント１２や記録媒体１０のレーベル面に、画像データや家電機器用データが特定の記録構造で記録されていることを示す情報（以下、記録構造識別情報と呼ぶ。）を印刷させる印刷制御手段１９と、表示手段３に各種操作画面を表示させる際に、操作画面の所定の位置に上記記録構造識別情報を表示させる表示制御手段１８などで構成されている。
【００２１】
なお、上記各手段は記録装置２にハードウェアとして構成されていてもよいが、コンピュータを、印刷制御手段１９、又は印刷制御手段１９及び表示制御手段１８として機能させる指示プログラムとして構成し、該プログラムを記録装置２上で機能させる構成としてもよい。また、記録装置２の形態も任意であり、例えば、図２に示すように無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダなどとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００２２】
次に、上記構成の記録システム１を用いて、ジャケットプリント１２や記録媒体１０のレーベル面に記録構造識別情報を印刷する手順について、図８のフローチャート図を参照して説明する。
【００２３】
まず、ステップＳ１０１で、記録装置２のメディア装填部５にメディア８を装填、又は、機器接続部６にデジタルカメラ９を接続し、ステップＳ１０２で、データ読み取り手段１５は、デジタルカメラ９やメディア８などから画像データを読み取る。なお、ここではデジタルカメラ９又はメディア８から画像データを読み取っているが、画像データの読み取り先は任意であり、画像データが予め記録されたＣＤ−ＲやＤＶＤ−Ｒなどの記録媒体から読み取ってもよいし、インターネットなどの通信ネットワーク１３を介して接続されているサーバ１４などから読み取ってもよい。
【００２４】
次に、ステップＳ１０３で、デジタルカメラ９又はメディア８から画像データを読み取った画像データをどのような記録構造で記録媒体１０に記録するのかを選択する。具体的には、表示手段３に、図１４に示すような記録構造選択画面２０ａが表示され、その中から、画像データをデジタルカメラ９やメディア８に記録されたままの構造で記録するのか、画像データを特定の記録構造で記録するのか、画像データに基づいて家電機器用データを生成し、画像データと家電機器用データとを特定の記録構造で記録するのかなどを選択する。この特定の記録構造とは、データが予め定められたルールに従って構成されたフォルダに格納されている構造や、データが予め定められたルールに従って命名されたフォルダに格納されている構造、データに予め定められたルールに従って命名されたファイル名が付与されている構造などを言う。なお、記録構造選択画面２０ａの表示に際して、表示制御手段１８は、特定の記録構造でデータが記録されることを示す記録構造識別情報を記録構造選択画面２０ａの所定の位置（例えば、ボタンなど）に表示させる構成としてもよく、記録構造識別情報を表示することによりユーザの選択を容易にすることができる。
【００２５】
そして、特定の記録構造が選択された場合は、ステップＳ１０４で、必要に応じて、データ生成手段１６を用いて、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）し、また、読み取った画像データのデータサイズを縮小したサムネイル画像データやスクリーンネイル画像データなどの縮小画像データを作成する。その後、読み取った画像データや生成した家電機器用データ、縮小画像データを特定の記録構造で記録するための記録データを生成する。
【００２６】
次に、ステップＳ１０５で、所定のフラグを立てるなどにより、特定の記録構造が選択されたことを記憶する。
【００２７】
次に、ステップＳ１０６で、読み取った画像データや生成したデータに対する作業を選択する。具体的には、表示手段３に、図１５に示すような作業選択画面２０ｂが表示され、その中から、ジャケットプリント１２やレーベル面の印刷のみを行うのか、記録媒体１０の作成のみを行うのか、その双方を行うのか、若しくは記録データをＨＤＤなどに記憶するかなどを選択する。
【００２８】
そして、ステップＳ１０７で、記録媒体１０の作成が選択されているかを判断し、選択されている場合は、表示手段３に記録媒体１０の装填を促すメッセージを表示し、ステップＳ１０８で、そのメッセージに従って、記録装置２の記録媒体装填部７に記録媒体１０を装填する。この記録媒体１０として任意の記録媒体を使用してもよいが、特定の記録媒体１０に対してのみデータの記録ができるようにしてもよく、その場合は、記録媒体１０の所定の領域から記録媒体１０を識別するための識別情報を読み出して特定の記録媒体１０であるかを判断する。なお、この識別情報は適正な記録媒体１０に対して画像データを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００２９】
ここで、一般的な記録媒体１０（ＣＤ−Ｒ）の構造について、図１３を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３０】
次に、ステップＳ１０９で、記録制御手段１７を用いて各種データを記録媒体１０に書き込む。その際、家電機器では所定の領域（ディスク型記録媒体の内側）に記録されたデータしか読み出すことができないため、家電機器用データを生成した場合には該家電機器用データを記録媒体１０の内側に書き込み、必要に応じてセッションをクローズした後、読み取った画像データや必要に応じて生成した縮小画像データ、管理データ、アプリケーションなどを家電機器用データの外側に書き込む。
【００３１】
上記手順で作成された記録媒体１０は、例えば、図１２に示すように各種データが記録され、ディスク型記録媒体１０の最内周の論理アドレス領域外には識別情報が記録され、論理アドレス領域の内周側の領域には必要に応じて家電機器用データが記録され、家電機器用データの外周側の領域には画像データや縮小画像データ、アプリケーション、管理データなどのコンピュータ機器用データが記録される。
【００３２】
また、特定の記録構造で各種データが記録された記録媒体１０のディレクトリ構造は図１１（ａ）に示すようになり、画像データの格納場所を示すフォルダ（PS_Rollフォルダ）内の画像データや縮小画像データ、管理データ（index.pvm）と、APPLフォルダ内のスライドショープログラムやスライドショーの設定ファイルなどでコンピュータ機器用データが構成される。また、Ｖｉｄｅｏ−ＣＤ形式のデータを生成した場合は図１１（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図１１（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００３３】
なお、上記フォルダ構造やフォルダ名称、ファイル名称などは任意であるが、各種データを利用しやすくするために、例えば、識別情報をYYMDyyyXXXXXXAAB（YYMD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z））とした場合は、画像データの格納場所を示すフォルダ（PS_Roll）の下位の階層にメディア８毎、機器毎、フィルム毎のデータの格納場所を示すフォルダを設け、該フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としたり、各々のデータのファイル名称をCCYYMMDDxxxxxx（CC：データの種別、YYMMDD：書き込み年月日を特定する数字、xxxxxx：シーケンシャル番号）などとすることができる。
【００３４】
次に、ステップＳ１１０で、印刷制御手段１９は、ジャケットプリント１２やレーベルの印刷が選択されているかを判断し、選択されている場合は、ステップＳ１１１で、所定のフラグが立っているかを調べることにより、特定の記録構造が選択されたかを判断し、所定のフラグが立っている場合は、ステップＳ１１２で、印刷手段１１を制御して、図９に示すように、ジャケットプリント１２に読み取った画像データや生成した縮小画像データに基づく画像を印刷すると共に、ジャケットプリント１２の所定の位置に特定の記録構造でデータが記録されていることを示す記録構造識別情報２１を印刷する。この記録構造識別情報２１は、マーク（例えば、規格であることを示すロゴマークなど）やイラスト、記号などの図形情報としてもよいし、説明文などの文字情報としてもよいし、その双方としてもよい。また、記録構造識別情報２１の印刷位置や数は特に限定されず、少なくとも一つの記録構造識別情報２１が目視可能な場所に印刷されていればよい。
【００３５】
また、記録媒体１０のレーベル面に印刷を行う場合は、ステップＳ１０９でデータを記録した記録媒体１０を記録媒体装填部７から排出し、該記録媒体１０を印刷手段１１に装填した後、図１０に示すように、レーベル面に、読み取った画像データや生成した縮小画像データに基づく画像を印刷すると共に、所定の位置に特定の記録構造でデータが記録されていることを示す記録構造識別情報２１を印刷する。このように、ジャケットプリント１２や記録媒体１０のレーベル面に記録構造識別情報２１を印刷することにより、図１に示すように、同じ記録構造識別情報２１が表示された機器２７が利用できることを一見して認識することができるため、ユーザの利便性を格段に向上させることができる。
【００３６】
また、ステップＳ１１１で、所定のフラグが立っていない場合は、ステップＳ１１３で、印刷手段１１を制御して、ジャケットプリント１２に読み取った画像データや生成した縮小画像データに基づく画像のみを印刷する。また、記録媒体１０のレーベル面に印刷を行う場合は、ステップＳ１０９でデータを記録した記録媒体１０を記録媒体装填部７から排出し、該記録媒体１０を印刷手段１１に装填した後、レーベル面に読み取った画像データや生成した縮小画像データに基づく画像のみを印刷する。
【００３７】
その後、ステップＳ１１４で、記録データをＨＤＤなどの内部記憶手段に記憶して一連の処理を終了する。
【００３８】
このように、本実施例では、画像データや家電機器用データなどを特定の記録構造で記録媒体１０に記録する場合に、該記録媒体１０を収納するケースに装着するジャケットプリント１２や記録媒体１０のレーベル面には、特定の記録構造でデータが記録されていることを示す記録構造識別情報２１が印刷されるため、記録媒体１０に記録されたデータがどのような機器で利用可能であるかを簡単に判別することができ、これにより、ユーザの利便性を格段に向上させることができる。
【実施例２】
【００３９】
次に、本発明の第２の実施例に係る指示プログラムについて、図１６乃至図１８を参照して説明する。図１６は、本実施例の記録装置の構成を示すブロック図であり、図１７は、本実施例の記録システムを用いた処理の手順を示すフローチャート図である。また、図１８は、本実施例の記録装置の表示手段に表示される画面の構成例を示す図である。
【００４０】
前記した第１の実施例では、デジタルカメラ９やメディア８から読み取った画像データを記録媒体１０を記録する場合の手順を示したが、特定の記録構造でデータが記録された記録媒体１０に対して、再度、ジャケットプリント１２を作成したり、レーベル面に印刷を行う場合も考えられる。
【００４１】
その場合、記録装置２は、図１６に示すようになり、記録媒体装填部７に記録された記録媒体１０から画像データや家電機器用データを読み取るデータ読み取り手段１５と、記録媒体１０に記録された画像データや家電機器用データの記録構造を判別する記録構造判別手段２２と、記録媒体装填部７に記録された新たな記録媒体に画像データや家電機器用データを記録する記録制御手段１７と、ＬＣＤ、ＣＲＴ等の表示手段３及びボタン、キーボード、マウス等の操作手段４と、印刷手段１１を用いて、ジャケットプリント１２やレーベル面に記録構造識別情報２１を印刷させる印刷制御手段１９と、表示手段３に各種操作画面を表示させる際に、操作画面の所定の位置に上記記録構造識別情報を表示させる表示制御手段１８などで構成される。
【００４２】
なお、本実施例においても、上記各手段は記録装置２にハードウェアとして構成されていてもよいが、コンピュータを、記録構造判別手段２２及び印刷制御手段１９、又は記録構造判別手段２２、印刷制御手段１９及び表示制御手段１８として機能させる指示プログラムとして構成し、該プログラムを記録装置２上で機能させる構成としてもよい。
【００４３】
次に、上記構成の記録装置２を用いて、ジャケットプリント１２や記録媒体１０のレーベル面に記録構造識別情報２１を印刷する手順について、図１７のフローチャート図を参照して説明する。
【００４４】
まず、ステップＳ２０１で、記録装置２の記録媒体装填部７に記録媒体１０を装填し、ステップＳ２０２で、データ読み取り手段１５は、記録媒体１０から画像データや家電機器用データを読み取る。なお、ここでは記録媒体１０から画像データや家電機器用データを読み取っているが、前記した第１の実施例のステップＳ１１４で保存した記録データをＨＤＤなどの内部記憶手段から読み取ってもよい。
【００４５】
次に、ステップＳ２０３で、記録構造判別手段２２は、画像データや家電機器用データが特定の記録構造で記録されているかを判断する。具体的には、図１１に示すように、記録媒体１０の識別情報が所定の名称（例えば、YYMDyyyXXXXXXAAB）であるか、画像データが所定の名称のフォルダ（例えば、PS_Rollフォルダや、ROYYMMDDyyy_XXXXXXAABxxxフォルダなど）に格納されているか、また、画像データや縮小画像データが所定のファイル名（例えば、CCYYMMDDxxxxxx）であるか、また、記録媒体１０に所定の管理データ（例えば、index.pvm）が記録されているかなどに基づいて特定の記録構造であるか否かを判断する。
【００４６】
そして、特定の記録構造で記録されている場合は、ステップＳ２０４で、所定のフラグを立てるなどにより、特定の記録構造で記録されていることを記憶する。
【００４７】
次に、表示手段３に図１８に示すような画像一覧表示画面２３が表示される。この画像一覧表示画面２３には、画像データの提供元を示すタグ表示欄２４と、読み取った画像データに基づく縮小画像が一覧表示される一覧表示欄２５と、画像データに対して行う作業を選択するための作業メニュー欄２６とが表示され、ユーザは一覧表示欄２５に表示された画像を確認した後、ステップＳ２０５で、作業メニュー欄２６の中から作業（ここでは、”新しいＣＤを作る”、”ジャケットプリントを作成する”、”レーベル面に印刷する”のいずれかの作業）を選択する。なお、画像一覧表示画面２３の表示に際して、表示制御手段１８は、特定の記録構造でデータが記録されることを示す記録構造識別情報を画像一覧表示画面２３の所定の位置（例えば、タグ表示欄２４や作業メニュー欄２６など）に表示させる構成としてもよく、記録構造識別情報を表示することにより、どのデータが特定の記録構造で記録されているかなどを容易に判別することができる。
【００４８】
次に、ステップＳ２０６で、記録媒体の作成が選択されているかを判断し、選択されている場合は、記録媒体装填部７から記録媒体１０を排出した後、表示手段３に新たな記録媒体の装填を促すメッセージを表示し、そのメッセージに従って、ステップＳ２０７で、記録装置２の記録媒体装填部７に新たな記録媒体を装填する。
【００４９】
次に、ステップＳ２０８で、記録制御手段１７は、画像データや家電機器用データなどを特定の記録構造で新たな記録媒体に書き込む。その際、家電機器では所定の領域（ディスク型記録媒体の内側）に記録されたデータしか読み出すことができないため、家電機器用データを記録媒体の内側に書き込み、必要に応じてセッションをクローズした後、読み取った画像データや必要に応じて生成した縮小画像データ、管理データ、アプリケーションなどを家電機器用データの外側に書き込む。
【００５０】
次に、ステップＳ２０９で、印刷制御手段１９は、ジャケットプリントの作成やレーベル面の印刷が選択されているかを判断し、選択されている場合は、ステップＳ２１０で、所定のフラグが立っているかを調べることにより、特定の記録構造で記録されているかを判断し、所定のフラグが立っている場合は、ステップＳ２１１で、印刷手段１１を制御して、ジャケットプリント１２に画像データや縮小画像データに基づく画像を印刷すると共に、ジャケットプリント１２の所定の位置に特定の記録構造で記録されていることを示す記録構造識別情報２１を印刷する。また、記録媒体１０のレーベル面に印刷を行う場合は、ステップＳ２０１で装填した記録媒体１０やステップＳ２０７で装填した新たな記録媒体を印刷手段１１に装填した後、レーベル面に、画像データや縮小画像データに基づく画像を印刷すると共に、所定の位置に特定の記録構造で記録されていることを示す記録構造識別情報２１を印刷する。このように、ジャケットプリント１２や記録媒体１０のレーベル面に記録構造識別情報２１を印刷することにより、第１の実施例と同様に、同じ記録構造識別情報２１が表示された機器が利用できることを一見して認識することができるため、ユーザの利便性を格段に向上させることができる。
【００５１】
また、ステップＳ２１０で、所定のフラグが立っていない場合は、ステップＳ２１２で、印刷手段１１を制御して、ジャケットプリント１２に画像データや縮小画像データに基づく画像のみを印刷する。また、記録媒体１０のレーベル面に印刷を行う場合は、レーベル面に画像データや縮小画像データに基づく画像のみを印刷する。
【００５２】
このように、本実施例では、画像データや家電機器用データなどが特定の記録構造で記録されている記録媒体１０が装填された場合に、該記録媒体１０を収納するケースに装着するジャケットプリント１２や記録媒体１０のレーベル面に、特定の記録構造でデータが記録されていることを示す記録構造識別情報２１が印刷されるため、記録媒体１０に記録されたデータがどのような機器で利用可能であるかを簡単に判別することができ、これにより、ユーザの利便性を格段に向上させることができる。
【００５３】
なお、上記各実施例では、記録媒体１０に特定の記録構造で各種データを記録する場合、又は、記録媒体１０に特定の記録構造で各種データが記録されている場合に所定のフラグを立て、ジャケットプリント１２の作成やレーベル面の印刷に際してこの所定のフラグを参照して記録構造識別情報２１を印刷するか否かを判断したが、ジャケットプリント１２の作成やレーベル面の印刷に際して、フォルダ名やフォルダ構造、ファイル名、特定の管理データの有無などに基づいて記録構造識別情報２１を印刷するか否かを判断してもよい。
【００５４】
また、上記各実施例では、本発明の構成を画像データに対して適用する場合を示したが、本発明は上記実施例に限定されるものではなく、音楽データなどの他の種類のデータを記録媒体１０に記録する場合に対しても同様に適用することができる。
【図面の簡単な説明】
【００５５】
【図１】本発明の第１の実施例に係る記録システムの構成を模式的に示す図である。
【図２】本発明の第１の実施例に係る記録装置の構成を模式的に示す図である。
【図３】本発明の第１の実施例に係る記録装置の他の構成を模式的に示す図である。
【図４】本発明の第１の実施例に係る記録装置の他の構成を模式的に示す図である。
【図５】本発明の第１の実施例に係る記録装置の他の構成を模式的に示す図である。
【図６】本発明の第１の実施例に係る記録装置の他の構成を模式的に示す図である。
【図７】本発明の第１の実施例に係る記録装置の他の構成を示すブロック図である。
【図８】本発明の第１の実施例に係る記録システムを用いた処理の手順を示すフローチャート図である。
【図９】本発明の第１の実施例に係るジャケットプリントの構成例を示す図である。
【図１０】本発明の第１の実施例に係る記録媒体のレーベル面の構成例を示す図である。
【図１１】本発明の第１の実施例に係る記録媒体におけるデータの記録構造の例を示す図である。
【図１２】本発明の第１の実施例に係る記録媒体の記録領域を示す図である。
【図１３】記録媒体（ＣＤ−Ｒ）の構造を模式的に示す図である。
【図１４】本発明の第１の実施例に係る記録装置の表示手段に表示される画面構成例（記録構造選択画面）を示す図である。
【図１５】本発明の第１の実施例に係る記録装置の表示手段に表示される画面構成例（作業選択画面）を示す図である。
【図１６】本発明の第２の実施例に係る記録装置の構成を示すブロック図である。
【図１７】本発明の第２の実施例に係る記録システムを用いた処理の手順を示すフローチャート図である。
【図１８】本発明の第２の実施例に係る記録装置の表示手段に表示される画面構成例（画像一覧表示画面）を示す図である。
【符号の説明】
【００５６】
１  記録システム
２  記録装置
３  表示手段
４  操作手段
５  メディア装填部
６  機器接続部
７  記録媒体装填部
８  メディア
９  デジタルカメラ
１０  記録媒体
１１  印刷手段
１２  ジャケットプリント
１３  通信ネットワーク
１４  サーバ
１５  データ読み取り手段
１６  データ生成手段
１７  記録制御手段
１８  表示制御手段
１９  印刷制御手段
２０ａ  記録構造選択画面
２０ｂ  作業選択画面
２１  記録構造識別情報
２２  記録構造判別手段
２３  画像一覧表示画面
２４  タグ表示欄
２５  一覧表示欄
２６  作業メニュー欄
２７  機器
【図１】
2007058888.tif 000003
【図２】
2007058888.tif 000004
【図３】
2007058888.tif 000005
【図４】
2007058888.tif 000006
【図５】
2007058888.tif 000007
【図６】
2007058888.tif 000008
【図７】
2007058888.tif 000009
【図８】
2007058888.tif 000010
【図９】
2007058888.tif 000011
【図１０】
2007058888.tif 000012
【図１１】
2007058888.tif 000013
【図１２】
2007058888.tif 000014
【図１３】
2007058888.tif 000015
【図１４】
2007058888.tif 000016
【図１５】
2007058888.tif 000017
【図１６】
2007058888.tif 000018
【図１７】
2007058888.tif 000019
【図１８】
2007058888.tif 000020